(57)【特許請求の範囲】
【請求項１】
形材取付部に複数の形材を配置し、この各形材の長手方向複数個所を固定金具で形材取付部に支持する構造体であって、
前記固定金具は、前記形材取付部にビスで固着される取付片と、この取付片に設けた立上り片と、この立上り片の上端部に設けるとともに形材の幅方向又は長手方向に向かう横向突出片を備え、下向きに突出した一対の係止爪が当該横向突出片に設けられ、
前記一対の係止爪は、前記幅方向一方側又は他方側が拡開するようにハの字形状をなしながら形材に喰い込み、
前記係止爪は、横向突出片の突出方向に面する突出端面と連続した第１端面と、横向突出片の前記長手方向に面する長手方向端面と連続した第２端面と、前記横向突出片の上面と連続した外側面と、前記横向突出片の下面と連続した内側面と、前記第１端面と前記第２端面と前記外側面との境界をなす上端点と、前記第１端面と前記第２端面と前記内側面との境界をなす下端点とを結ぶ稜線を有し、この稜線は外側面の下部が内側面の下部よりも上となるように斜めで、
前記横向突出片の突出方向に面する突出端面と係止爪の第１端面とが面一に形成され、
前記上端点より下端点側において、下端点を角の頂点として、内側面の２辺が成す内角と、第1端面の２辺が成す内角と、第２端面の２辺が成す内角が、それぞれ鋭角となることを特徴とする構造体。
【請求項２】
一対の係止爪は、横向突出片の前記幅方向先端角部を折曲して形成されている請求項1記載の構造体。
【請求項３】
立上り片は、取付片の少なくとも前記幅方向一方側から立ち上がり、
横向突出片は、立上り片の上端部から前記幅方向一方側に向かって突出して設けられている請求項１又は２に記載の構造体。
【請求項４】
形材の幅方向端面が固定金具の立上り片に接している請求項１乃至３いずれか１項に記載の構造体。
【請求項５】
形材は、前記幅方向両端に被取付片を有し、
固定金具は、取付片の前記幅方向他方側から立ち上がる立上り片と、この他方側の立上り片の上端部から前記幅方向他方側に向かって突出する他方側の横向突出片を備え、
一方側の横向突出片にのみ一対の係止爪を有し、この一方側の横向突出片が隣接した一方側の形材の前記幅方向他方側端部の被取付片の上面に接し、他方側の横向突出片が隣接した他方側の形材の前記幅方向一方側端部の被取付片の上面に接するようにした請求項３又は４記載の構造体。
【発明の詳細な説明】
【技術分野】
【０００１】
本発明は、住宅のテラスやバルコニーの床等として用いる構造体に関する。
【背景技術】
【０００２】
従来、根太上に形材を配置し、この形材を固定金具で根太に固定した構造体が種々提案されている。
例えば、特許文献１に開示したように、根太に固定金具（固定部材）をビスで固着し、その固定金具の係止部を形材に差し込むことで形材を根太に押しつけて固定するようにした構造体が提案されている。
【特許文献１】特開２００２−２０６２７６号公報
【発明の開示】
【発明が解決しようとする課題】
【０００３】
前述した従来の構造体は、固定金具の係止部を形材に差し込む（喰い込む）ことで、その形材が長手方向に動かないように支持しているが、その固定金具の係止部は、下向片の下端面が鋸歯状に形成され、複数の係止爪による形材への喰い込み形状が形材の長手方向に沿って一直線状となるように形成されている。
従って、形材に長手方向に向かう大きな力が作用した場合に、形材が長手方向に動くことがある。
【０００４】
本発明の目的は、形材をしっかりと支持することができる構造体とすることである。
【課題を解決するための手段】
【０００５】
本発明は、形材取付部に複数の形材を配置し、この各形材の長手方向複数個所を固定金具で形材取付部に支持する構造体であって、前記固定金具は、前記形材取付部にビスで固着される取付片と、この取付片に設けた立上り片と、この立上り片の上端部に設けるとともに形材の幅方向又は長手方向に向かう横向突出片を備え、下向きに突出した一対の係止爪が当該横向突出片に設けられ、前記一対の係止爪は、前記幅方向一方側又は他方側が拡開するようにハの字形状をなしながら形材に喰い込み、前記係止爪は、横向突出片の突出方向に面する突出端面と連続した第１端面と、横向突出片の前記長手方向に面する長手方向端面と連続した第２端面と、前記横向突出片の上面と連続した外側面と、前記横向突出片の下面と連続した内側面と、前記第１端面と前記第２端面と前記外側面との境界をなす上端点と、前記第１端面と前記第２端面と前記内側面との境界をなす下端点とを結ぶ稜線を有し、この稜線は外側面の下部が内側面の下部よりも上となるように斜めで、前記横向突出片の突出方向に面する突出端面と係止爪の第１端面とが面一に形成され、前記上端点より下端点側において、下端点を角の頂点として、内側面の２辺が成す内角と、第1端面の２辺が成す内角と、第２端面の２辺が成す内角が、それぞれ鋭角となることを特徴とする構造体である。
ここで、構造体としてはデッキ、床、フェンス、壁、塀、ベンチ、等が挙げられる。又、形材としては木質粉と樹脂とを混ぜ合わせて押出成形した押出材等が挙げられる。
【０００６】
本発明においては、一対の係止爪は、横向突出片の前記幅方向先端角部を折曲して形成することができる。
このようにすることで、係止爪を簡単に形成することができる。
【０００７】
本発明においては、立上り片は、取付片の少なくとも前記幅方向一方側から立ち上がり、
横向突出片は、立上り片の上端部から前記幅方向一方側に向かって突出して設けることができる。
このようにすることで、形材に対して係止爪を形材の幅方向中心寄りの位置で喰い込ませることができるので、形材をしっかりと支持することができる。
また、取付片の少なくとも前記幅方向一方側から立ち上がった立上り片の上端部から、横向突出片を前記幅方向他方側に向かって突出して設けた場合と比較して、横向突出片の突出方向の長さを短くでき、コストを安くすることができる。
【０００９】
本発明においては、形材の幅方向端面が固定金具の立上り片に接するようにできる。
このようにすれば、形材が長手方向に動こうとした時に、喰い込んだ係止爪によって形材はハの字形状に沿う方向に移動方向を規制される。すなわち長手方向に対して斜めに動こうとするが、形材の幅方向端面が固定金具の立上り片に当接して幅方向への移動が規制されるので、形材が長手方向に対して斜めに動くことができなくなる。従って、形材が長手方向に動くことをより一層確実に防止できる。
【００１０】
本発明においては、形材は、前記幅方向両端に被取付片を有し、
固定金具は、取付片の前記幅方向他方側から立ち上がる立上り片と、この他方側の立上り片の上端部から前記幅方向他方側に向かって突出する他方側の横向突出片を備え、
一方側の横向突出片にのみ一対の係止爪を有し、この一方側の横向突出片が隣接した一方側の形材の前記幅方向他方側端部の被取付片の上面に接し、他方側の横向突出片が隣接した他方側の形材の前記幅方向一方側端部の被取付片の上面に接するようにできる。
このようにすれば、隣接する一方側の形材を固定金具で長手方向に動かないように支持した後に、その固定金具の他方側の横向突出片と形材取付部との間に隣接した他方側の形材の幅方向他方側端部の被取付片を押し込んで支持できる。
【発明の効果】
【００１２】
本発明によれば、固定金具の横向突出片の一対の係止爪が形材に対して平面視ハの字形状に形材に喰い込むから、長手方向の移動の抵抗力が大きい。
従って、形材が長手方向に動くことがないようにしっかりと支持することができる。
また、従来の構造体では、鋸歯状の係止爪の先端は形材長手方向と直交方向に所定の幅（下向片の厚さ）を有しているため、形材に接する先端部の面積が大きく、形材に喰い込む深さが浅くなるが、本発明によれば、係止爪の先端部分が鋭利な形状となるので、形材に喰い込む深さが深くなる。
また、係止爪の先端部分が３つの面で構成されているとともに、この３つの面の先端側が鋭角となるため、係止爪の先端がより鋭利な形状となる。
【発明を実施するための最良の形態】
【００１３】
図１に示すように、複数の根太１を図示しない固定部に固着して取付けて形材取付部としてある。
前記複数の根太１に亘って複数の形材としてのデッキ材２が配置されている。前記根太１とデッキ材２は直交している。
このデッキ材２は、木質粉と樹脂とを混ぜ合わせて押出成形した押出材であり、このデッキ材２の押出方向がデッキ材２の長手方向となる。尚、デッキ材２の材質はこれに限らず、他の材質を用いてもよい。また、デッキ材２の幅方向とは、複数のデッキ材２の並列方向のことを指す。以降、長手方向とはデッキ材２における長手方向のことを指し、幅方向とはデッキ材２の幅方向のことを指す。
このデッキ材２の長手方向複数個所が固定金具３で根太１に押しつけて支持してデッキとしてある。このデッキが構造体である。
例えば、図２に示すように、各根太１における隣接したデッキ材２間に固定金具３をビス４で固着して取付け、その固定金具３でデッキ材２を根太１に押しつけて固定してある。
【００１４】
前記根太１は、上面板１０と下面板１１と一対の側面板１２を有した断面矩形状の長尺材で、その上面板１０にデッキ材２が載置される。
【００１５】
前記デッキ材２は幅方向の両端下部に、幅方向端面よりも幅方向に突出した被取付片２０を有し、この被取付片２０の下面２０ａとデッキ材２の下面２ａが面一に連続している。
例えば、デッキ材２は上面板２１と下面板２２と幅方向両端の端面板２３と縦リブ２４で中空部２５を有した断面略矩形状の長尺材で、その端面板２３は上部から下部に向けて幅方向中央に向けて階段状に折曲し、その端面板２３よりも下面板２２が幅方向に突出して前述の被取付片２０としてあると共に、この被取付片２０と端面板２３の下部寄りとで凹陥部２６を形成している。
【００１６】
前記固定金具３は図３、図４に示すように根太１の上面１ａ（上面板１０）にビス４で固着される取付片３０と、この取付片３０の幅方向一方側端部（根太１の長手方向に向かう端部）に設けた立上り片３１（一方側の立上り片）と、この立上り片３１の上端部から幅方向一方側に向かって突出して設けられた幅方向に向かう横向突出片３２を備え、その横向突出片３２の幅方向先端角部のコーナー部分を下向きに折曲した一対の係止爪３３を有している。
この一対の係止爪３３は、固定金具３を平面から見た時に幅方向他方側の方が末広がりとなるハの字形状となっている。
前記各係止片３３の先端部分３３ａは、鋭利で尖端形状となっている。
【００１７】
このようであるから、固定金具３の取付片３０を根太１の上面１ａにビス４で固着して取付けることで、一対の係止爪３３を一方側のデッキ材２の被取付片２０に対して平面視ハの字形状に喰い込ませてデッキ材２が長手方向に動かないように支持できる。
前記一対の係止爪３３の先端部分３３ａは尖端形状であるから、その先端部分３３ａをデッキ材２の幅方向他方側端部の被取付片２０に深く喰い込ませることができる。
また、一対の係止爪３３は平面視ハの字形状で、係止爪３３はそれぞれデッキ材２の長手方向と平行に喰い込んでいないので、デッキ材２の長手方向移動の抵抗力が大きくなる。
また、デッキ材２の幅方向他方側端面（被取付片２０の端面）が固定金具３の立上り片３１に接している。
そして、デッキ材２が長手方向に動こうとした時に、喰い込んだ係止爪３３によって形材はハの字形状に沿う方向に移動方向を規制される。すなわち長手方向に対して斜めに動こうとするが、デッキ材２の幅方向他方側端面（被取付片２０の端面２０ｂ）が立上り片３１に当接して幅方向（図４の矢印ａ）への移動が規制されるので、デッキ材２が長手方向に対して斜めに動くことができなくなる。
【００１８】
従って、デッキ材２を根太１に長手方向に動くことがないようにしっかりと支持でき、そのデッキ材２に長手方向に向かう大きな力が作用してもデッキ材２が長手方向に動くことがない。
なお、デッキ材２の幅方向他方側端面と固定金具３の立上り片３１を離隔して取付けるようにしてもデッキ材２が長手方向に動かないように支持できる。
【００１９】
また、横向突出片３２の幅方向先端角部にのみ係止爪３３を有し、その一対の係止爪３３間の長手方向の距離が固定金具３の長手方向全長と略同一であるから、デッキ材２における係止爪３３が喰い込む部分の長手方向の間隔が広く、係止爪３３が喰い込むことによってデッキ材２が損傷等することが低減するとともに、デッキ材２が係止爪３３を中心にして回転する現象が起き難くなる。
つまり、係止爪３３が喰い込む部分の間隔が狭いと、係止爪３３が喰い込むことによって隣接した喰い込み部分に連続して亀裂等が生じて損傷等したり、施工時や施工後等においてデッキ材２が係止爪３３を中心にして回転するおそれがある。
【００２０】
次に、前記係止爪３３の形状を図３〜図６に基づいて説明する。
前記係止爪３３は、横向突出片３２の突出方向に面する突出端面３２ａと連続した第１端面３３ｂと、横向突出片３２の長手方向に面する長手方向端面３２ｂと連続した第２端面３３ｃと、横向突出片３２の上面３２ｃと連続した三角形状の外側面３３ｄと、横向突出片３２の下面３２ｄと連続した三角形状の内側面３３ｅ及び、第１端面３３ｂと第２端面３３ｃと外側面３３ｄとの境界をなす上端点３３ｈと、第１端面３３ｂと第２端面３３ｃと内側面３３ｅとの境界をなす下端点３３ｉとを結ぶ稜線３３ｆを有している。
前記第１端面３３ｂと第２端面３３ｃは、Ｖ字状に連続する。
前記外側面３３ｄ、内側面３３ｅはそれぞれ、第１端面３３ｂとの境界線と、第２端面３３ｃとの境界線と、折曲部分における折れ線とを３辺とした三角形状である。
前記稜線３３ｆは、外側面３３ｄの下部が内側面３３ｅの下部よりも上となるように斜めとなっており、上端点３３ｈが下端点３３ｉよりも上方となる。
そして、横向突出片３２の突出端面３２ａと係止爪３３の第１端面３３ｂとが面一に形成され、上端点３３ｈより下端点３３ｉ側において、下端点３３ｉを角の頂点として、内側面３３ｅの２辺（内側面３３ｅと第１端面３３ｂ、第２端面３３ｃとの境界線）が成す内角と、第1端面３３ｂの２辺（第１端面３３ｂと内側面３３ｅ、第２端面３３ｃとの境界線）が成す内角と、第２端面３３ｃの２辺（第２端面３３ｃと内側面３３ｅ、第１端面３３ｂとの境界線）が成す内角が、それぞれ鋭角となる。
【００２１】
これによって、係止爪３３の先端部分が３つの面（第１端面３３ｂ、第２端面３３ｃ、内側面３３ｅ）で構成されているとともに、この３つの面の先端側（下端点３３ｉ側）が鋭角となるため、係止爪３３の先端（下端点３３ｉ部分）が鋭利な形状となるので、デッキ材２に喰い込む深さが深くなる。
【００２２】
この実施の形態の固定金具３は取付片３０の幅方向他方側端部にも立上り片３１（他方側の立上り片）が設けてあり、この他方側の立上り片３１にも横向突出片３２が設けてある。
そして、幅方向一方側の横向突出片３２に係止爪３３を形成し、幅方向他方側の横向突出片３２には係止爪３３が形成していない。
このようであるから、図３に示すように幅方向一方側の横向突出片３２を隣接した一方側のデッキ材２の幅方向他方側端部の被取付片２０の上面に接して係止爪３３を喰い込ませて取付けた後に、幅方向他方側の横向突出片３２と根太１の上面１ａとの間に隣接した他方側のデッキ材２の幅方向一方側端部の被取付片２０を押し込んで保持することでデッキ材２を仮取付けできる。
この仮取付けした他方側のデッキ材２は、幅方向他方側端部の被取付片２０を前述と同様に固定金具３を用いて長手方向に動かないように保持して取付ける。
なお、幅方向他方側の横向突出片３２は、立上り片３１と直角に対して先端部が下方となるように斜め下向きとしてある。
【００２３】
次に、固定金具３の製作方法を説明する。
図７（ａ）に示すように、１枚の板材を折り曲げ加工して取付片３０、一対の立上り片３１、一対の横向突出片３２を有する形状とする。
幅方向一方側の横向突出片３２は立上り片３１と直角で、他方側の横向突出片３２は立上り片３１と成す内角が直角よりも小さい角度である。
次に、一方側の横向突出片３２の幅方向先端角部であるコーナー部分３４、例えば、横向突出片３２の突出端面３２ａと長手方向端面３２ｂにおけるコーナー部３２ｅから等しい距離の位置を結ぶ線３２ｆよりもコーナー部３２ｅ寄りの部分を、その線３２ｆから図７（ｂ）に示すように下向きに９０度折り曲げて下向片３５とする。尚、下向きに折り曲げる角度は９０度以外でも良いが、好ましくは９０度以下、より好ましくは９０度が良い。
【００２４】
この後に、横向突出片３２の突出方向中間を、点線で示す切断線３２ｇに沿って長手方向全長に亘って上下面３２ｃ，３２ｄと直角（垂直）に切断することで、下向片３５を切断する。
詳しくは、幅方向において、切断線３２ｇの位置が、突出端面３２ａと長手方向端面３２ｂと下面３２ｄとの境界をなす頂点と同位置、もしくはこの頂点の位置よりも幅方向他方側（横向突出片３２の突出方向と反対側）の位置となるようにする。
前記切断線３２ｇはデッキ材２の長手方向と平行で、前記下向片３５の突出方向中間を横切り、一対の下向片３５の突出方向中間が切断して除去され、その一対の下向片３５の残存した部分を図６に示すように係止爪３３とする。
【００２５】
このようであるから、１枚の板材を折り曲げ加工した後に切断加工することで係止爪３３を有した突出横片３２を備えた固定金具３を製作でき、その製作が容易である。
また、切断前の横向突出片３２は十分な突出長さを有しているから、厚い板材であっても容易に折り曲げて製作可能である。
【００２６】
図１に示すように、デッキ材２は、複数の根太１と対向した長手方向複数個所が固定金具３で支持してある。
そして、長手方向一端の固定金具３が前述した係止爪３３を有する横向突出片３２を備えた固定金具で、デッキ材２の長手方向一端部を長手方向に動かないように支持している。
前記長手方向一端の固定金具３以外の固定金具３は、前述した係止片３３を有しない横向突出片３２を備えた固定金具で、デッキ材２の長手方向複数個所を長手方向に動くことが可能に浮き上がることがないように支持している。
【００２７】
例えば、図８に示すように、取付片３０と立上り片３１と横向突出片３２を有し、その取付片３０をビス４で根太１に固着して取付けることで、横向突出片３２をデッキ材２の被取付片２０に押しつけて支持するようにしてある。
【００２８】
このようであるから、デッキ材２が熱伸縮した時に、長手方向一端部を中心に長手方向にスライドして熱伸縮によってデッキ材２が上向きに湾曲したり、亀裂が生じることを防止できると共に、複数のデッキ材２の長手方向の端面２ｂ（小口面）を揃えることができる。
【００２９】
前述の実施の形態では、係止爪３３を有した横向突出片３２を備えた固定金具３と、係止爪３３を有しない横向突出片３２を備えた固定金具３を用いてデッキ材を支持したが、係止爪３３を有した横向突出片３２を備えた固定金具３のみでデッキ材２を支持しても良い。
また、係止爪３３を有した横向突出片３２と立上り片３１と取付片３０のみで固定金具３としても良い。この場合には係止爪３３を有しない横向突出片３２と立上り片３１と取付片３０のみの固定金具３を用いて他方側のデッキ材２の幅方向一方側端部の被取付片２０を支持するようにする。
また、横向突出片３２の幅方向先端角部にのみ係止爪３３を形成したが、長手方向の中間に補助的な係止爪を形成することも可能である。
また、前述の実施形態では、１枚の板材を折り曲げ加工した後に切断加工することで係止爪３３を有した横向突出片３２を備えた固定金具３としたがこれに限ることがない。
例えば、１枚の板材を叩いて薄く潰した後に折り曲げて切断することで、係止爪の先端を鋭利な形状にしてもよい。
また、図９に示すように、取付片３０のデッキ材長手方向一方側と他方側から立上り片３１を立ち上げ、横向突出片３２を立上り片３１の上端部からデッキ材の長手方向一方側および他方側に向かって突出して設け、この横向突出片３２をデッキ材の幅方向一方側および他方側に向けて突出させた形状としても良い。
この場合、取付片３０のデッキ材長手方向一方側からのみ立上り片３１を立ち上げ、横向突出片３２を立上り片３１の上端部からデッキ材の長手方向一方側に向かって突出して設け、この横向突出片３２をデッキ材の幅方向一方側、他方側の両方側（または、デッキ材の幅方向一方側のみ）に向けて突出させた形状としても良い。
なお、上記実施例では構造体としてデッキを挙げたが、これに限ることはなく、床、フェンス、壁、塀、ベンチ、等であっても良い。又、形材としては木質粉と樹脂とを混ぜ合わせて押出成形した押出材を挙げたが、これに限ることはなく、木粉を含有しない樹脂製等の押出形材や、押出成形以外の方法で成形した形材等であっても良い。
【図面の簡単な説明】
【００３０】
【図１】本発明の実施の形態を示すデッキ（構造体）の一部平面図である。
【図２】図１のＡ−Ａ拡大断面図である。
【図３】図２の固定金具部分の拡大図である。
【図４】図３のＢ−Ｂ断面図である。
【図５】固定金具の拡大正面図である。
【図６】固定金具の斜視図である。
【図７】固定金具の製作工程を示す斜視図である。
【図８】係止爪を有しない固定金具で支持している状態の断面図である。
【図９】固定金具の第２の実施の形態を示す斜視図である。
【符号の説明】
【００３１】
１…根太（形材取付部）、２…デッキ材（形材）、２ａ…下面、２ｂ…長手方向端面、３…固定金具、４…ビス、２０…被取付片、３０…取付片、３１…立上り片、３２…横向突出片、３２ａ…突出端面、３２ｂ…長手方向端面、３２ｃ…上面、３２ｄ…下面、３３…係止爪、３３ａ…先端部分、３３ｂ…第１端面、３３ｃ…第２端面、３３ｄ…外側面、３３ｅ…内側面、３３ｆ…稜線。
【図１】
0005201623.tif 000002
【図２】
0005201623.tif 000003
【図３】
0005201623.tif 000004
【図４】
0005201623.tif 000005
【図５】
0005201623.tif 000006
【図６】
0005201623.tif 000007
【図７】
0005201623.tif 000008
【図８】
0005201623.tif 000009
【図９】
0005201623.tif 000010